(57)【特許請求の範囲】
【請求項１】
複数のゴミ収集部を具備したゴミ収集手段を有する流路の分岐具が、
ゴミ収集手段の一部のゴミ収集部を通過した水しか通らない分岐管部と、
通常は複数のゴミ収集部を通過した水が通り、ゴミ収集手段を移動させることによりゴミ収集部に溜まったゴミが流れる分岐管部と、
を有することを特徴とする配管装置。
【発明の詳細な説明】
【０００１】
【発明の属する技術分野】
本発明は、一カ所より多数の箇所に分配される配水装置において、配管先につく末端機器の機能を十分に発揮する配管装置に関するものである。
【０００２】
【従来の技術】
従来は必要とされる水栓各個にゴミ収集手段としてのストレーナが組込まれており、それぞれの部位でゴミ詰まりの清掃を行う必要があった。
【０００３】
またストレーナ機構を分岐部上流に入れ、一ヶ所でゴミ除去を行うことを考えた場合、ストレーナが必要ない箇所のゴミも集めてしまい、効率の悪いものであった。
【０００４】
またストレーナ清掃については分解掃除や水の逆流などを用いる方法が提案されているが、いずれも手間の掛かるものであった。
【０００５】
【発明が解決しようとする課題】
本発明は従来各水栓にて行われていたストレーナの清掃を一度で行えるようにすることを目的とする。
【０００６】
更に、この時発生するゴミを、ストレーナの必要ない末端機器から排出することを考え、その清掃方法を特殊な手段を用いないことを目的とする。
【０００７】
【課題を解決するための手段】
上記課題を解決するためになされた本発明の配管装置は、複数のゴミ収集部を具備したゴミ収集手段を有する流路の分岐具が、ゴミ収集手段の一部のゴミ収集部を通過した水しか通らない分岐管部と、通常は複数のゴミ収集部を通過した水が通り、ゴミ収集手段を移動させることによりゴミ収集部に溜まったゴミが流れる分岐管部とを有することを特徴とするものである。
【０００８】
【発明の実施の形態】
ヘッダにストレーナを内蔵した分岐部を設けたとき、この分岐部の一方はストレーナを通過する水が流れ、他方はストレーナにたまったゴミを取り除く流れを作る。
【０００９】
この時、ストレーナを通過した水はサーモスタット式湯水混合水栓、ディスクバルブを利用したシングルレバー式湯水混合水栓や電磁弁などゴミがあることをきらう末端機器や、飲料用として使用される末端機器、もしくはその両方を含む箇所へ向かう。
【００１０】
またゴミを取り除いた水は、単水栓のような小さなゴミに強い末端機器や、飲料用として使用されないような末端機器、もしくはその両方を含む箇所へ向かう。
【００１１】
【実施例】
図１に本発明の配管装置１の全体斜視図を示している。水道管からの給水管２の分岐部３にゴミ収集手段としてのストレーナ４を内蔵する分岐具５を設けている。分岐具５のストレーナ４の下流に分岐する第一流路６を形成する分岐管部７の出口は給水用ヘッダー８に接続する流路９と給湯機１０に接続する流路１１に分岐する分岐具１２の入口に接続される。給水用ヘッダー８からは末端機器としての洗面器用水栓１３へは給水管１４を介して、台所用水栓１５へは給水管１６を介して、浴室用水栓１７へは給水管１８を介して給水される。
【００１２】
また、給湯機１０に接続されている給湯用ヘッダー１９からは洗面器用水栓１３へは給湯管２０を介して、台所用水栓１５へは給湯管２１を介して、浴室用水栓１７へは給湯管２２を介して給湯される。これらの給水管１４、１６、１８と給湯管２０、２１、２２を流れる水又は湯にはゴミは含まれていない。従って、洗面器用水栓１３、台所用水栓１５、浴室用水栓１７にはストレーナ等のゴミ収集手段を設ける必要がない。
【００１３】
一方、分岐具５のストレーナ４を通過しない第二流路２３を形成する分岐管部２４の出口は屋外に設けられた庭用水栓２５に接続する。この庭用水栓２５からは、ストレーナ４で捕捉されたゴミが排出される。
【００１４】
図２に分岐具５の断面図を、図３に分岐具５の分解斜視図を示す。この分岐具５は流入管部２６から入った水はストレーナ４を通過する分岐管部７とストレーナ４を通過しない分岐管部２４に分けられる。このとき、分岐管部７はゴミがあると困る末端機器を接続する第一流路６へ接続され、分岐管部２４はゴミがあってもそんなに困らない末端機器を接続する第二流路２３へ接続される。
【００１５】
ゴミ２７はストレーナ４に捕捉されるが、分岐管部２４側へ流れる水は、その流れの勢いによりストレーナ４に付着したゴミ２７を同時に流す。このため、ゴミは第二流路２３に接続された庭用水栓２５から排出される。
【００１６】
図４と図５に分岐具の別の実施例を示す。図４は分岐具４５の断面図、図５は分解斜視図を示す。分岐具４５の流入管部２８から入った水はストレーナ部材２９のストレーナ３０またはストレーナー３１を通過した水しか通らない分岐管部３２と、通常はストレーナ３０とストレーナ３１を通過した水が通り、ストレーナ部材２９を回転させた場合にストレー３０またはストレーナー３１に溜まったゴミ３３が流れる分岐管部３４に分けられる。流入管部２８から入った水はストレーナ部材２９を通過して分岐管部３２と分岐管部３４へ向かう。
【００１７】
分岐管部３２または分岐管部３４に繋がる末端機器の水の出が悪いと感じられた時には、ストレーナ３０にゴミが溜まっていると考えられる。そこで、ストレーナ部材２９のハンドル３５を１８０度回す事で、ストレーナ３０上にたまったゴミ３３を分岐管部３４へ排出する。そしてストレーナ３１が流入管部２８から入った水のゴミを溜める。長期間使用し、ストレーナ部材２９のハンドル３５を１８０度回転させても末端機器の水の出が悪い場合は、袋ナット３６をはずすことにより、ストレーナ部材２９を取外し、ストレーナ３０とストレーナ３１を清掃することができる。
【００１８】
なお、本構造では９０度回転で止水機能も有し、突起３７によるクリック感にて操作状態を知らせる機構としている。ストレーナ部材２９には水密性を保つため凹溝を設けて、Ｏリング３８、３９、４０、４１を設けている。
【００１９】
図６は第一流路を構成する配管の接続はゴミを発生させない接続構造とするための一例を示す。分岐具７０のストレーナ部材のストレーナを通過した水しか通らない分岐管部７１と第一流路を形成する給水管７２の接続構造を示す。分岐管部７１には、鍔部７３とＯリング７４を嵌合する凹溝を設けた筒部７６を形成している。給水管７２の端面には分岐具７０の筒部７６が嵌合される開口部７７が設けられ、開口部７７の端面に鍔部７８が形成されている。
【００２０】
分岐具７０の筒部７６を給水管７２の開口部７７に嵌合すると、鍔部７３と鍔部７８とが当接する。この状態で、鍔部７３と鍔部７８との合計の厚みと略同じ幅を有するスリット７９を備えた結合具８０を鍔部７３と鍔部７８にわたって係合させることによって分岐具７０と給水管７２とを接続する。接続部の水密を保つためにＯリングを使用しているため、シールテープ等を使用する必要がなく、ゴミが発生しない。このような接続を第一流路を形成する配管の接続部すべてに採用すれば、第一流路内の途中でゴミが発生することがない。
【００２１】
第７図はストレーナに溜まったゴミ排出用末端機器の一例であり、庭用水栓２５を示す。
【００２２】
第８図はストレーナに溜まったゴミ排出用末端機器の他の一例である。これは末端機器を飲用に使う場合の例である。図８はゴミかみに強い２バルブ式の湯水混合水栓４６であり、スパウト先端４７には簡単に外せるフィルター４８が付いている。
【００２３】
使用中、湯水混合水栓４６からの水の出が悪くなった場合、このフィルター４８を洗う事で家全体のストレーナ清掃をしたことに相当する。
【００２４】
図９から図１０はストレーナを内蔵する分岐具をヘッダーに組み入れた配管装置の一例を示す。図９に本発明の配管装置５０の全体斜視図を示している。水道管からの給水管２から分岐した給水流路５１に接続された給水用ヘッダー５２にゴミ収集手段としてのストレーナ４を内蔵する分岐具５を設けている。分岐具５のストレーナ４の下流に分岐する第一流路６を形成する分岐管部７の出口は給水用ヘッダー５２に接続されている。
【００２５】
給水用ヘッダー５２からは末端機器としての台所用水栓５３へは給水管５４を介して、浴室用水栓５５へは給水管５６を介して給水される。分岐具５のストレーナ４を通過しない流路に分岐する第二流路を形成する分岐管部２４の出口は給水管５７を介して洗面器用の水栓５８に接続する。この洗面器用の水栓５８からは、ゴミ収集手段で捕捉されたゴミが排出される。近頃は給湯機の自動温度設定機能の発達により、２バルブ式湯水混合水栓のように、どちらかというとゴミ噛みに強い水栓が付く例が多くみられる。
【００２６】
水道管からの給水管２から分岐した給湯用流路５９には給湯機６０を介して接続された給湯用ヘッダー６１にもゴミ収集手段としてのストレーナ４を内蔵する分岐具５を設けている。給湯用ヘッダー６１からは台所用水栓５３へは給湯管６２を介して、浴室用水栓５５へは給湯管６３を介して給湯される。
【００２７】
分岐具５のストレーナ４を通過しない流路に分岐する第二流路を形成する分岐管部２４の出口は給湯管６４を介して洗面器用の水栓５８に接続する。この洗面器用の水栓５７からは、ゴミ収集手段で捕捉されたゴミが排出される。これらの給水管５４、５６と給湯管６２、６３を流れる水又は湯にはゴミは含まれていない。従って、台所用水栓５３、浴室用水栓５５にはストレーナ等のゴミ収集手段を設ける必要がない。
【００２８】
図１０に図２の分岐具５を給水用ヘッダー５２に接続した斜視図を示す。分岐具５は図２、図３と同様の構造のため説明を省略する。給湯用ヘッダー６１にも同様の分岐具５を接続している。
【００２９】
図１１に図４の分岐具２７を給水用ヘッダー５２に接続した斜視図を示す。分岐具２７は図４、図５と同様の構造のため説明を省略する。給湯用ヘッダー６１にも同様の分岐具２７を接続できる。
【００３０】
【発明の効果】
複数のゴミ収集部を具備したゴミ収集手段を有する流路の分岐具が、ゴミ収集手段の一部のゴミ収集部を通過した水しか通らない分岐管部と、通常は複数のゴミ収集部を通過した水が通り、ゴミ収集手段を移動させることによりゴミ収集部に溜まったゴミが流れる分岐管部とを有することにしているため、一部のゴミ収集部にゴミが溜まった場合にゴミ収集部を移動させることにより簡単にゴミの排出が行える。
【図面の簡単な説明】
【図１】本発明の一つの実施形態を示す配管装置の斜視図。
【図２】分岐具の断面図。
【図３】分岐具の分解斜視図。
【図４】分岐具の他の例を示す断面図。
【図５】分岐具の他の例を示す分解斜視図。
【図６】分岐具と給水管の接続部の示す断面図。
【図７】ゴミ排出用水栓の第１例の斜視図。
【図８】ゴミ排出用水栓の第２例の一部分解斜視図。
【図９】本発明の他の実施形態を示す配管装置の斜視図。
【図１０】分岐具を組込んだ給水用ヘッダの斜視図。
【図１１】他の分岐具を組込んだ給水用ヘッダの斜視図。
【符号の説明】
１、５０…配管装置
４、２９…ストレーナ部材（ゴミ収集手段）
５、４５…分岐具（分岐部）
８、５２…給水用ヘッダ
９、１１…流路（第一流路）
１４、１６、１８、５４、５６…給水管（第一流路）
１９、６１…給湯用ヘッダ
２０、２１、２２、６２、６３…給湯管（第一流路）
２３、５７、６４…第二流路、
２５、５８…ゴミ排出用水栓
【図１】
0003584754.tif 000002
【図２】
0003584754.tif 000003
【図３】
0003584754.tif 000004
【図４】
0003584754.tif 000005
【図５】
0003584754.tif 000006
【図６】
0003584754.tif 000007
【図７】
0003584754.tif 000008
【図８】
0003584754.tif 000009
【図９】
0003584754.tif 000010
【図１０】
0003584754.tif 000011
【図１１】
0003584754.tif 000012